(57)【要約】  充電装置５の第２の保護部６１＿１，６１＿２は、弾性部材で構成されており、生体情報検出装置３の装着状態において、生体情報検出装置３の凹部３９＿１，３９＿２の底部３９＿１ａ，３９＿２ａに当接して装着する。当該装着した状態で、生体情報検出装置３の対応する端子と接合する。生体情報検出装置３は、装着状態において、充電装置５からリセット信号を入力すると、リセット動作（初期化動作）を行う。
2018151069.tif 000002
【特許請求の範囲】
【請求項１】
電子機器と、前記電子機器を充電する充電装置とを有し、
前記電子機器は、
リセット信号を入力するとリセット動作を行う処理回路と、
前記処理回路に電力を供給するバッテリーと、
前記処理回路に電気的に接続された第１のリセット端子と、
前記バッテリーに電気的に接続された第１の充電端子と、
を有し、
前記充電装置は、
前記電子機器と着脱可能に装着される装着部と、
前記電子機器が前記装着部に装着された状態で、前記第１のリセット端子と着脱可能に電気的に接続される第２のリセット端子と、
前記電子機器が前記装着部に装着された状態で、前記第１の充電端子と着脱可能に電気的に接続される第２の充電端子と、
操作部と、
前記操作部の操作に応じて、前記第２のリセット端子及び前記第１のリセット端子を介して前記処理回路に前記リセット信号を送信するリセット発生部と
を有する
充電システム。
【請求項２】
前記電子機器は生体の情報を検出する生体情報検出装置であり、
前記生体情報検出装置は、
生体から生体情報を取得する生体電極
を有し、
前記処理回路は、前記生体電極で取得した生体情報に応じた生体信号を生成する
請求項１に記載の充電システム。
【請求項３】
前記生体電極、前記第１のリセット端子及び前記第２のリセット端子、あるいはそれらの周辺部は、前記第２のリセット端子が前記第１のリセット端子に接続可能であり且つ前記生体電極に接合不可となる形状を有している
請求項２に記載の充電システム。
【請求項４】
前記生体情報検出装置は、前記処理回路及び前記バッテリーを収容する第１の筐体
を有し、
前記生体電極、前記第１のリセット端子及び前記第１の充電端子は、前記第１の筐体の外部に露出しており、
前記充電装置は、前記送信部を収容する第２の筐体
を有し、
前記第２のリセット端子及び前記第２の充電端子は、前記第２の筐体の外部に露出している
請求項２又は請求項３に記載の充電システム。
【請求項５】
前記第１のリセット端子及び前記第１の充電端子の周囲に位置して前記第１のリセット端子及び前記第１の充電端子を保護し、且つ前記第１のリセット端子及び前記第１の充電端子に対して前記第２のリセット端子及び前記第２の充電端子の側に突き出た第1の保護部と、
前記第２のリセット端子及び前記第２の充電端子の周囲に位置して前記第１のリセット端子及び前記第１の充電端子を保護し、且つ前記第１のリセット端子及び前記第１の充電端子に対して前記第２のリセット端子及び前記第２の充電端子の側に突き出た第２の保護部と
を有し、
前記電子機器が前記装着部に装着された状態で、前記第１の保護部と前記第２の保護部との少なくとも一方が弾性力に抗して変形して前記第１のリセット端子と前記第２のリセット端子とが接合すると共に、前記第１の充電端子と前記第２の充電端子とが接合する
請求項１〜４のいずれかに記載の充電システム。
【請求項６】
前記第２の保護部は、弾性部材で構成されており、
前記電子機器が前記装着部に装着された状態で前記第２の保護部が弾性力に抗して縮む
請求項５に記載の充電システム。
【請求項７】
前記充電装置は、
前記操作部からリセット指示入力が行われると、前記第２の電源端子の電位をローレベルからハイレベルに立ち上げる
請求項１〜６のいずれかに記載の充電システム。
【請求項８】
前記電子機器は、第１のインジケータ端子を有し、
前記充電装置は、
前記電子機器が前記装着部に装着された状態で、前記第１のインジケータ端子と着脱可能に電気的に接続される第２のインジケータ端子と、
前記第２のインジケータ端子と電気的に接続されているインジケータと
を有し、
前記電子機器の前記処理回路は、前記バッテリーの充電状態を示す状態信号を前記第１のインジケータ端子を介して前記第２のインジケータ端子に出力し、
前記インジケータは、前記第１のインジケータ端子に入力された前記状態信号に応じた出力を行う
請求項１〜７のいずれかに記載の充電システム。
【請求項９】
前記装着部は、クリップ構造であり、前記電子機器に装着された状態で前記第１の筐体と係合する
請求項１〜８のいずれかに記載の充電システム。
【請求項１０】
充電装置に着脱可能に装着される電子機器であって、
生体から生体情報を取得する生体電極と、
前記生体電極で取得した生体情報に応じた生体信号を生成し、リセット信号を入力するとリセット動作を行う処理回路と、
前記処理回路に電力を供給するバッテリーと、
前記処理回路に電気的に接続され、前記装着時に前記充電装置の第２のリセット端子と電気的に接続される第１のリセット端子と、
前記バッテリーに電気的に接続され、前記装着時に前記充電装置の第２の充電端子と電気的に接続される第１の充電端子と、
前記装着時に、前記第１のリセット端子に前記第２のリセット端子からリセット信号を入力すると、当該リセット信号に応じて前記処理回路をリセットする
電子機器。
【請求項１１】
生体から生体情報を取得する生体電極と、前記生体電極で取得した生体情報に応じた生体信号を生成し、リセット信号を入力するとリセット動作を行う処理回路と、前記処理回路に電力を供給するバッテリーと、前記処理回路に電気的に接続された第１のリセット端子と、前記バッテリーに電気的に接続された第１の充電端子とを有する電子機器を充電する充電装置であって、
前記電子機器と着脱可能に装着される装着部と、
前記電子機器が前記装着部に装着された状態で、前記第１のリセット端子と着脱可能に電気的に接続される第２のリセット端子と、
前記電子機器が前記装着部に装着された状態で、前記第１の充電端子と着脱可能に電気的に接続される第２の充電端子と、
操作部と、
前記操作部の操作に応じて、前記第２のリセット端子及び前記第１のリセット端子を介して前記処理回路に前記リセット信号を送信するリセット発生部と
を有する
充電装置。
【発明の詳細な説明】
【技術分野】
【０００１】
本発明は、生体電極を用いて生体の生体情報を検出する生体情報検出システム、生体情報検出装置及び充電装置に関するものである。
【背景技術】
【０００２】
心電等の生体の生体信号を検出する心電計等の生体情報検出装置がある。
このような生体情報検出装置は、２つの電極間に流れる高周波信号に基づいて生体情報を取得する。近年、生体情報検出装置の小型化が進んでいる。
【先行技術文献】
【特許文献】
【０００３】
【特許文献１】国際公開２０１４／１０６８７３号
【発明の概要】
【発明が解決しようとする課題】
【０００４】
しかしながら、生体情報検出装置が小型化すると、製品状態の表示、製品状態のリセット操作を製品側で行うことは、省スペース化の観点から行えない。
また、リセット動作（初期状態復帰）中にバッテリー切れを起こす危険性があるため、充電時に行うことが望ましい。生体情報検出装置以外の小型化が要求される電子機器についても同様である。【０００５】
本発明はかかる事情に鑑みてなされたものであり、その目的は、小型化が可能で、且つリセット動作の信頼性が高い電子機器、充電装置並びにそれらを備えた充電システムを提供することにある。
【課題を解決するための手段】
【０００６】
上述した従来技術の問題を解決し、上述した目的を達成するために、本発明の充電システムは、電子機器と、前記電子機器を充電する充電装置とを有し、前記電子機器は、リセット信号を入力するとリセット動作を行う処理回路と、前記処理回路に電力を供給するバッテリーと、前記処理回路に電気的に接続された第１のリセット端子と、前記バッテリーに電気的に接続された第１の充電端子と、を有し、前記充電装置は、前記電子機器と着脱可能に装着される装着部と、前記電子機器が前記装着部に装着された状態で、前記第１のリセット端子と着脱可能に電気的に接続される第２のリセット端子と、前記電子機器が前記装着部に装着された状態で、前記第１の充電端子と着脱可能に電気的に接続される第２の充電端子と、操作部と、前記操作部の操作に応じて、前記第２のリセット端子及び前記第１のリセット端子を介して前記処理回路に前記リセット信号を送信するリセット発生部とを有する。【０００７】
この構成によれば、電子機器を充電装置の装着部に装着した状態でのみ、充電装置の送信部からのリセット信号が、第２の充電端子及び第１の充電端子を介して、電子機器の処理回路に出力され、出力回路がリセット動作を行う。そのため、処理回路のリセット動作中に、電子機器が電力不足で動作停止してしまうことはなく、リセット動作の信頼性を高めることができる。
また、この構成によれば、電子機器のリセット動作が、充電装置に装着された状態でのみ行われるため、電子機器が生体情報を検出中に誤ってリセット動作が開始されてしまうことを回避できる。
また、この構成によれば、電子機器にリセットの操作部を設ける必要がないため、小型化を図れる。【０００８】
好適には、前記電子機器は生体の情報を検出する生体情報検出装置であり、前記生体情報検出装置は、生体から生体情報を取得する生体電極を有し、前記処理回路は、前記生体電極で取得した生体情報に応じた生体信号を生成する。
この構成によれば、小型化の要請が高い、生体情報検出装置を小型化できる。【０００９】
好適には、前記生体電極、前記第１のリセット端子及び前記第２のリセット端子、あるいはそれらの周辺部は、前記第２のリセット端子が前記第１のリセット端子に接続可能であり且つ前記生体電極に接合不可となる形状を有している。【００１０】
この構成によれば、生体情報検出装置を充電装置に装着する際に、誤って生体電極を第１のリセット端子及び第２のリセット端子に接合させてしまいショート等の不具合が生じてしまうことを回避できる。【００１１】
好適には、前記生体情報検出装置は、前記処理回路及び前記バッテリーを収容する第１の筐体を有し、前記生体電極、前記第１のリセット端子及び前記第１の充電端子は、前記第１の筐体の外部に露出しており、前記充電装置は、前記送信部を収容する第２の筐体
を有し、前記第２のリセット端子及び前記第２の充電端子は、前記第２の筐体の外部に露出している。【００１２】
この構成によれば、生体電極、第１のリセット端子及び第１の充電端子を第１の筐体の外部に露出させ、第２のリセット端子及び第２の充電端子を第２の筐体の外部に露出させたことで、生体情報検出装置と充電装置との間のリセット端子及び充電端子を容易に接合できる。【００１３】
好適には、前記第１のリセット端子及び前記第１の充電端子の周囲に位置して前記第１のリセット端子及び前記第１の充電端子を保護し、且つ前記第１のリセット端子及び前記第１の充電端子に対して前記第２のリセット端子及び前記第２の充電端子の側に突き出た第1の保護部と、前記第２のリセット端子及び前記第２の充電端子の周囲に位置して前記第１のリセット端子及び前記第１の充電端子を保護し、且つ前記第１のリセット端子及び前記第１の充電端子に対して前記第２のリセット端子及び前記第２の充電端子の側に突き出た第２の保護部とを有し、前記電子機器が前記装着部に装着された状態で、前記第１の保護部と前記第２の保護部との少なくとも一方が弾性力に抗して変形して前記第１のリセット端子と前記第２のリセット端子とが接合すると共に、前記第１の充電端子と前記第２の充電端子とが接合する。【００１４】
この構成によれば、電子機器を充電装置に装着していない状態で、第１の保護部によって第１のリセット端子及び第１の充電端子が保護される。また、第２の保護部によって第２のリセット端子及び第２の充電端子が保護される。
また、装着時には、第１の保護部と第２の保護部との少なくとも一方が弾性力に抗して変形することで、第１のリセット端子と第２のリセット端子とを接合させると共に、第１の充電端子と第２の充電端子とが接合させることができる。【００１５】
好適には、前記第２の保護部は、弾性部材で構成されており、前記電子機器が前記装着部に装着された状態で前記第２の保護部が弾性力に抗して縮む。【００１６】
この構成によれば、電子機器を充電装置に装着した状態において、第２の保護部が弾性変形して縮むことから、第１の保護部の部材として弾性変形しない部材を選択できる。そのため、電子機器の第１の保護部によって第１のリセット端子及び第１の充電端子をより強固に保護できる。【００１７】
好適には、前記充電装置は、前記操作部からリセット指示入力が行われると、前記第２の電源端子の電位をローレベルからハイレベルに立ち上げる。【００１８】
この構成によれば、生体情報検出装置が充電装置に装着されていない状態では、生体情報検出装置の第１のリセット端子はローレベルであるため、漏電等の不具合を防止することができる。【００１９】
好適には、前記電子機器は、第１のインジケータ端子を有し、前記充電装置は、前記電子機器が前記装着部に装着された状態で、前記第１のインジケータ端子と着脱可能に電気的に接続される第２のインジケータ端子と、前記第２のインジケータ端子と電気的に接続されているインジケータとを有し、前記電子機器の前記処理回路は、前記バッテリーの充電状態を示す状態信号を前記第１のインジケータ端子を介して前記第２のインジケータ端子に出力し、前記インジケータは、前記第１のインジケータ端子に入力された前記状態信号に応じた出力を行う。【００２０】
この構成によれば、電子機器を充電装置に装着した状態で、電子機器のバッテリーの充電状態を示す状態信号を充電装置に出力して、充電装置に設けられたインジケータに当該状態信号に応じた出力を行う。そのため、電子機器にインジケータを設ける必要がないため、小型化を図れる。【００２１】
好適には、前記装着部は、クリップ構造であり、前記電子機器に装着された状態で前記第１の筐体と係合する。【００２２】
この構成によれば、簡単な構成で生体情報検出装置を充電装置に装着できる。【００２３】
本発明の電子機器は、充電装置に着脱可能に装着される電子機器であって、生体から生体情報を取得する生体電極と、前記生体電極で取得した生体情報に応じた生体信号を生成し、リセット信号を入力するとリセット動作を行う処理回路と、前記処理回路に電力を供給するバッテリーと、前記処理回路に電気的に接続され、前記装着時に前記充電装置の第２のリセット端子と電気的に接続される第１のリセット端子と、前記バッテリーに電気的に接続され、前記装着時に前記充電装置の第２の充電端子と電気的に接続される第１の充電端子と、前記装着時に、前記第１のリセット端子に前記第２のリセット端子からリセット信号を入力すると、当該リセット信号に応じて前記処理回路がリセットされる。【００２４】
この構成によれば、本発明の電子機器を充電装置の装着部に装着した状態でのみ、充電装置の送信部からのリセット信号が、第２の充電端子及び第１の充電端子を介して、電子機器の処理回路に出力され、出力回路がリセット動作を行う。そのため、処理回路のリセット動作中に、電子機器が電力不足で動作停止してしまうことはなく、リセット動作の信頼性を高めることができる。また、電子機器のリセット動作が、充電装置に装着された状態でのみ行われるため、電子機器が生体情報を検出中に誤ってリセット動作が開始されてしまうことを回避できる。また、電子機器にリセットの操作部を設ける必要がないため、小型化を図れる。【００２５】
本発明の充電装置は、生体から生体情報を取得する生体電極と、前記生体電極で取得した生体情報に応じた生体信号を生成し、リセット信号を入力するとリセット動作を行う処理回路と、前記処理回路に電力を供給するバッテリーと、前記処理回路に電気的に接続された第１のリセット端子と、前記バッテリーに電気的に接続された第１の充電端子とを有する電子機器を充電する充電装置であって、前記電子機器と着脱可能に装着される装着部と、前記電子機器が前記装着部に装着された状態で、前記第１のリセット端子と着脱可能に電気的に接続される第２のリセット端子と、前記電子機器が前記装着部に装着された状態で、前記第１の充電端子と着脱可能に電気的に接続される第２の充電端子と、操作部と、前記操作部の操作に応じて、前記第２のリセット端子及び前記第１のリセット端子を介して前記処理回路に前記リセット信号を送信するリセット発生部とを有する。
【発明の効果】
【００２６】
本発明によれば、小型化が可能で、且つリセット動作の信頼性が高い小型化が可能で、且つリセット動作の信頼性が高い電子機器、充電装置並びにそれらを備えた充電システムを提供することができる。
【図面の簡単な説明】
【００２７】
【図１】図１は、本発明の実施形態に係る生体情報検出システムの斜め正面側からの外観斜視図である。
【図２】図２は、図１に示す生体情報検出システムの斜め背面側から見た外観斜視図である。
【図３】図３は、本発明の実施形態に係る生体情報検出装置の機能ブロック図である。
【図４】図４は、生体情報検出装置３の生体電極が設けられた第１の保護部側から見た外観斜視図である。
【図５】図５は、生体情報検出装置を装着していない状態での充電装置の外観斜視図である。
【図６】図６は、図５に示す端子周辺の拡大図である。
【図７】図７は、本発明の実施形態に係る充電装置の機能ブロック図である。
【図８】図８は、本発明の実施形態に係る充電装置の構造を示す図である。
【図９】図９は、図１に示す断面線Ａ−Ａにおける電極付近の概略断面図である。
【図１０】図１０Ａは充電装置が発生するリセット信号を説明するための図である。図１０Ｂは充電装置の給電電圧の波形を説明するための図である。図１０Ｃはインジケータ信号を説明するための図である。
【発明を実施するための形態】
【００２８】
以下、本発明の実施形態に係る生体情報検出システムについて説明する。
本実施形態では、本発明の電子機器及び充電システムの一例として生体情報検出装置及び生体情報検出システムについて説明する。
図１は、本発明の実施形態に係る生体情報検出システム１の斜め正面側からの外観斜視図である。図２は、図１に示す生体情報検出システム１の斜め背面側から見た外観斜視図である。図１及び図２は、生体情報検出システム１を構成する生体情報検出装置３と、充電装置５とが装着状態の場合を示している。
【００２９】
図１及び図２に示すように、生体情報検出装置３の第１の筐体２１は、充電時に充電装置５のクリップ型の装着部５９に把持されて装着されている。これにより、簡単な構成で生体情報検出装置３を充電装置５に装着できる。
【００３０】
［生体情報検出装置３］
図３は、本発明の実施形態に係る生体情報検出装置３の機能ブロック図である。図４は、生体情報検出装置３の生体電極４１＿１，４１＿２が設けられた第１の保護部１９側から見た外観斜視図である。
図３に示すように、生体情報検出装置３は、例えば、加速度センサ２３、バッテリー２５、保護回路２７、充電検出部２９、メモリ３１、アンテナ３３、生体情報検出部３４及び処理回路３５を有し、これらが第１の筐体２１に収容されている。
生体情報検出装置３には、小型であり、リセット操作を行う操作部、並びに、ＬＥＤ等のインジケータは設けられていない。
【００３１】
また、生体情報検出装置３の第１の筐体２１の一つの面は第１の保護部１９となり、第１の保護部１９側に、生体電極４１＿１，４１＿２、第１のインジケータ端子ＴＩ１、第１のリセット端子ＴＲ１、第１の充電端子ＴＶ１及び第１のグランド端子ＴＧ１が位置している。
第１の保護部１９には、生体電極４１＿１，４１＿２が露出して位置している。また、第１の保護部１９には、矩形状の２つの凹部３９＿１，３９＿２が形成されている。
【００３２】
第１の保護部１９の凹部３９＿１内には第１のインジケータ端子ＴＩ１及び第１のリセット端子ＴＲ１が収容されている。凹部３９＿２内には、第１の充電端子ＴＶ１及び第１のグランド端子ＴＧ１が収容されている。
このような構造にすることで、第１のインジケータ端子ＴＩ１、第１のリセット端子ＴＲ１、第１の充電端子ＴＶ１及び第１のグランド端子ＴＧ１が第１の保護部１９によって保護されて、破損することを回避できる。
【００３３】
また、図４に示すように、生体電極４１＿１，４１＿２は、凹部３９＿１，３９＿２内に挿入できない配置をしているため、生体情報検出装置３を充電装置５に装着する際に、生体電極４１＿１，４１＿２が誤って第１のインジケータ端子ＴＩ１、第１のリセット端子ＴＲ１、第１の充電端子ＴＶ１及び第１のグランド端子ＴＧ１に誤って電気的に接続されてしまうことはない。これにより、ショート等の不具合を回避できる。
【００３４】
第１のインジケータ端子ＴＩ１、第１のリセット端子ＴＲ１、第１の充電端子ＴＶ１及び第１のグランド端子ＴＧ１は、生体情報検出装置３が充電装置５に装着されている状態（以下、「装着状態」とも記す）で、充電装置５の第２のインジケータ端子ＴＩ２、第２のリセット端子ＴＲ２、第２の充電端子ＴＶ２及び第２のグランド端子ＴＧ２と電気的にそれぞれ接合する。
【００３５】
加速度センサ２３は、例えば、６軸の加速度センサであり、検出した加速度信号を処理回路３５に出力する。
【００３６】
バッテリー２５は、加速度センサ２３、生体情報検出部３４及び処理回路３５に駆動電圧を供給する。
保護回路２７は、第１の充電端子ＴＶとバッテリー２５との間に介在し、装着状態において、第１の充電端子ＴＶ１を介して充電装置５から供給された電源電圧を所定の保護機能を持ってバッテリー２５に供給する。
【００３７】
充電検出部２９は、バッテリー２５の充電状態（残存電池量等）を監視し、充電状態監視結果情報を処理回路３５に供給する。
メモリ３１は、処理回路３５が実行するプログラムと、処理に使用するデータを記憶する。
【００３８】
アンテナ３３は、処理回路３５の制御に基づいて所依の信号を送受信する。
【００３９】
生体情報検出部３４は、生体電極４１＿１，４１＿２に生じた電位を生体情報として検出し、検出信号を処理回路３５に出力する。
【００４０】
処理回路３５は、メモリ３１に記憶しているプログラムを実行し、本実施形態で記載する生体情報検出装置３の機能を実現する。処理回路３５は、装着状態において、第１のリセット端子ＴＲ１を介して充電装置５からリセット信号を入力すると、リセット動作（初期化動作）を行う。
【００４１】
これにより、生体情報検出装置３を充電装置５に装着して充電をしている状態以外は、処理回路３５のリセット動作を行うことはできず、リセット動作中に、生体情報検出装置３が電力不足で動作停止してしまうことはなく、リセット動作の信頼性を高めることができる。また、生体情報検出装置３が生体情報を検出中に誤ってリセット動作が開始されてしまうことを回避できる。
さらには、生体情報検出装置３にリセットの操作部を設ける必要がないため、小型化を図ることができる。
【００４２】
また、処理回路３５は、充電検出部２９からの充電状態監視結果情報に応じたインジケータ信号を第１のインジケータ端子ＴＩ１に出力する。
また、処理回路３５は、生体情報検出部３４から入力した検出信号に応じて、生体情報をアンテナ３３から外部装置に送信する。
【００４３】
［充電装置５］
図５は生体情報検出装置３を装着していない状態での充電装置５の外観斜視図、図６は図５に示す端子周辺の拡大図である。図７は、本発明の実施形態に係る充電装置５の機能ブロック図である。図８は、充電装置５が生体情報検出装置３を装着する構造を説明するための図である。図９は、図１に示す断面線Ａ−Ａにおける電極付近の概略断面図である。
【００４４】
図７に示すように、充電装置５は、例えば、リセット発生部５７を有し、これらが第２の筐体５１に収容されている。
【００４５】
また、充電装置５の第２の筐体５１には、図５及び図６に示すように、第２のインジケータ端子ＴＩ２、第２のリセット端子ＴＲ２、第２の充電端子ＴＶ２、第２のグランド端子ＴＧ２及び外部電源端子ＴＵが位置している。
【００４６】
第２のインジケータ端子ＴＩ２及び第２のリセット端子ＴＲ２の周囲には、これらを囲むようにＨ型の第２の保護部６１＿１が設けられている。また、第２の充電端子ＴＶ２及び第２のグランド端子ＴＧ２の周囲には、これらを囲むようにＨ型の第２の保護部６１＿２が設けられている。第２の保護部６１＿１，６１＿２は、生体情報検出装置３の非装着状態で、生体情報検出装置３が装着される装着空間に向けて突出している。
【００４７】
また、第２の保護部６１＿１，６１＿２と接合して弾性部材から構成される第２の保護部６１＿３を有する。生体情報検出装置３の装着状態において、生体情報検出装置３の凹部３９＿１，３９＿２の底部３９＿１ａ，３９＿２ａに当接して、第２の保護部６１＿１，６１＿２が第２の保護部６１＿３を押圧して第２の保護部６１＿３が収縮する。このように第２の保護部６１＿３が収縮した状態で、第１のインジケータ端子ＴＩ１、第１のリセット端子ＴＲ１、第１の充電端子ＴＶ１及び第１のグランド端子ＴＧ１と、第２のインジケータ端子ＴＩ２、第２のリセット端子ＴＲ２、第２の充電端子ＴＶ２、第２のグランド端子ＴＧ２とがそれぞれ接合する。
【００４８】
この構成によれば、生体情報検出装置３を充電装置に装着していない状態で、生体情報検出装置３の第１の保護部１９と、充電装置５の第２の保護部６１＿１，６１＿２によって端子が保護できる。また、装着時には、第２の保護部６１＿３が弾性力に抗して縮むことで、生体情報検出装置３と充電装置５との間で端子を接合できる。
また、生体情報検出装置３の第１の保護部１９は、縮まない部材を用いることができるので、生体情報検出装置３の端子を強固に保護できる。
【００４９】
また、第２の筐体５１には、インジケータ５３及び操作部５５が設けられている。
操作部５５は、第２の筐体５１の表面から窪んだ位置にある押圧式のスイッチであり、意図した操作以外では押圧され難い構造になっている。
【００５０】
図１０Ａは、充電装置５が発生するリセット信号を説明するための図である。
生体情報検出装置３が充電装置５に装着されている状態で、充電装置５の操作部５５が押下されると、リセット発生部５７は、図１０Ａに示すように、第２のリセット端子ＴＲ２に供給するリセット信号をローレベル（０Ｖ）からハイレベル（３Ｖ）に立ち上げる。リセット信号は、第２のリセット端子ＴＲ２から、生体情報検出装置３の第１のリセット端子ＴＲ１を介して処理回路３５に供給され、処理回路３５がリセット動作を行う。
【００５１】
この構成によれば、生体情報検出装置３が充電装置５に装着されていない状態では、生体情報検出装置３の第１のリセット端子ＴＲ１（リセット信号）はローレベルであるため、漏電等の不具合を防止することができる。
【００５２】
また、インジケータ５３は、例えば、２色のＬＥＤである。
生体情報検出装置３が充電装置５に装着されている状態で、処理回路３５が出力したインジケータ信号を第２のインジケータ端子ＴＩ２から入力し、これをインジケータ５３に出力する。
インジケータ５３は、入力したインジケータ信号に応じた発光を行う。
【００５３】
第２の筐体５１の外部電源端子ＴＵは、外部電源に例えばＵＳＢケーブル等を介して接続される。
【００５４】
図１０Ｂは、充電装置５の第２の充電端子ＴＶ２から生体情報検出装置３の第１の充電端子ＴＶ１に供給される給電電圧の波形を示している。
図１０Ｂに示すように、充電装置５に生体情報検出装置３が装着されると、給電電圧がローレベル（０Ｖ）からハイレベル（５Ｖ）に立ち上がる。
【００５５】
図１０Ｃは、生体情報検出装置３の処理回路３５から、第１のインジケータ端子ＴＩ１及び第２のインジケータ端子ＴＩ２を介して、インジケータ５３に供給されるインジケータ信号の波形を示している。
図１０Ｃに示すように、処理回路３５は、充電検出部２９からの充電状態監視結果情報を基に、充電が開始されたと判断すると、インジケータ信号をローレベル（０Ｖ）からハイレベル（３Ｖ）に立ち上げ、充電が終了したと判断すると、ハイレベルからローレベルに立ち下げる。
【００５６】
以下、本発明の実施形態に係る生体情報検出システム１の作用を説明する。
［生体情報取得］
生体情報検出装置３を、充電装置５から取り外した状態で、図４に示す生体電極４１＿１，４１＿２を人体等の生体に接触させて生体に取り付ける。このとき、凹部３９＿１，３９＿２内に生体電極以外の各種電極が設けられているので、当該各種電極が生体に接触することはない。
【００５７】
生体電極４１＿１，４１＿２の生体情報が生体情報検出部３４で取得され、それに応じた生体信号が処理回路３５に出力される。
また、生体の動きに応じて生体情報検出装置３が動き、その加速度が加速度センサ２３で検出される。
なお、処理回路３５等は、バッテリー２５から供給される電力によって駆動される。
【００５８】
［充電時］
図１及び図２に示すように、充電装置５の装着部５９に生体情報検出装置３を装着する。
このとき、図４に示す生体情報検出装置３の第１の保護部１９によって、図５及び図６に示す第２の保護部６１＿１，６１＿２が押圧され、図８及び図９に示す第２の保護部６１＿３が押圧されて弾性力に抗して縮小する。これにより、生体情報検出装置３の第１のインジケータ端子ＴＩ１、第１のリセット端子ＴＲ１、第１の充電端子ＴＶ１及び第１のグランド端子ＴＧ１と、充電装置５の第２のインジケータ端子ＴＩ２、第２のリセット端子ＴＲ２、第２の充電端子ＴＶ２、第２のグランド端子ＴＧ２とがそれぞれ接合する。
当該接合した状態で、第１の充電端子ＴＶ１及び第２の充電端子ＴＶ２を介して、充電装置５から生体情報検出装置３のバッテリー２５に給電が行われる。
【００５９】
また、使用者によって、図１，図２及び図７に示す操作部５５が押圧されると、充電装置５のリセット発生部５７がリセット信号を発生し、これを第２のリセット端子ＴＲ２及び第１のリセット端子ＴＲ１を介して、生体情報検出装置３の処理回路３５に出力する。これにより、処理回路３５がリセット動作を行う。
また、生体情報検出装置３の処理回路３５が、充電検出部２９によって検出した充電状態監視結果情報を示す状態信号を、第１のインジケータ端子ＴＩ１及び第２のインジケータ端子ＴＩ２を介して充電装置５に出力する。これより、充電装置５のインジケータ５３が、状態信号に応じた出力を行う。
【００６０】
以上説明したように、生体情報検出システム１によれば、生体情報検出装置３を充電装置５に装着して充電をしている状態以外は、処理回路３５のリセット動作を行うことはできず、リセット動作中に、生体情報検出装置３が電力不足で動作停止してしまうことはなく、リセット動作の信頼性を高めることができる。また、生体情報検出装置３が生体情報を検出中に誤ってリセット動作が開始されてしまうことを回避できる。また、生体情報検出装置３にリセットの操作部を設ける必要がないため、小型化を図ることができる。
【００６１】
生体情報検出システム１によれば、生体情報検出装置３を充電装置に装着していない状態で、生体情報検出装置３の第１の保護部１９と、充電装置５の第２の保護部６１＿１，６１＿２によって端子が保護できる。また、装着時には、第２の保護部６１＿３が弾性力に抗して縮むことで、生体情報検出装置３と充電装置５との間で端子を接合できる。
また、生体情報検出装置３の第１の保護部１９は、縮まない部材を用いることができるので、生体情報検出装置３の端子を強固に保護できる。
【００６２】
生体情報検出システム１によれば、図１０Ａに示すように、生体情報検出装置３が充電装置５に装着されていない状態では、生体情報検出装置３の第１のリセット端子ＴＲ１（リセット信号）はローレベルであるため、漏電等の不具合を防止することができる。
【００６３】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００６４】
例えば、上述した実施形態では、本発明の電子機器の一例として生体情報検出装置を例示したが、その他、時計型、眼鏡型等のウェアラブル機器でもよい。
上述した実施形態では、生体情報検出装置３を充電装置５に装着した状態で、図８及び図９に示すように、第２の保護部６１＿１，６１＿２が押圧されて弾性変形して縮まり、第１の保護部１９は変形しない場合を例示したが、第２の保護部６１＿１，６１＿２が変形せずに第１の保護部１９が変形し、あるいは双方の保護部が変形するように構成してもよい。
また、上述した実施形態では、装着部５９としてクリップ型を例示したが、それ以外の機構を用いてもよい。
【産業上の利用可能性】
【００６５】
本発明は、人体等の生体の生体情報検出する装置及びシステムに適用可能である。
【符号の説明】
【００６６】
１…生体情報検出システム
３…生体情報検出装置
５…充電装置
１９…第１の保護部
２１…第１の筐体
２３…加速度センサ
２５…バッテリー
２７…保護回路
２９…充電検出部
３１…メモリ
３３…アンテナ
３４…生体情報検出部
３５…処理回路
４１＿１，４１＿２…生体電極
３９＿１，３９＿２…凹部
３９＿１ａ，３９＿２ａ…底部
５１…第２の筐体
５３…インジケータ
５５…操作部
５７…リセット発生部
５９…装着部
６１＿１，６１＿２…第２の保護部
６１＿３…第２の保護部（弾性部材）
ＴＩ１…第１のインジケータ端子
ＴＲ１…第１のリセット端子
ＴＶ１…第１の充電端子
ＴＧ１…第１のグランド端子
ＴＩ２…第２のインジケータ端子
ＴＲ２…第２のリセット端子
ＴＶ２…第２の充電端子
ＴＧ２…第２のグランド端子
ＴＵ…外部電源端子
【図１】
2018151069.tif 000003
【図２】
2018151069.tif 000004
【図３】
2018151069.tif 000005
【図４】
2018151069.tif 000006
【図５】
2018151069.tif 000007
【図６】
2018151069.tif 000008
【図７】
2018151069.tif 000009
【図８】
2018151069.tif 000010
【図９】
2018151069.tif 000011
【図１０】
2018151069.tif 000012
【国際調査報告】
2018151069.tif 000013
2018151069.tif 000014
2018151069.tif 000015